(57)【要約】【課題】  任意の情報収集装置により収集された情報を任意のリスタブル情報装置に送信して表示することを可能にする。【解決手段】  通信システム１０００は、情報収集装置３と、中継装置２と、リスタブル情報装置１とを有する。情報収集装置３は、ネットワーク４を介して情報を収集して中継装置２に送信する。中継装置２は、情報収集装置３から情報を受信する情報受信手段と、情報収集装置３からの受信情報からリスタブル情報装置１が受信して表示可能な送信情報を生成する情報処理手段と、送信情報をリスタブル情報装置１に送信する情報送信手段とを有する。リスタブル情報装置１は、中継装置２からの送信情報を受信して指針により表示する。【選択図】図１
2018156349.tif 000002
【特許請求の範囲】
【請求項１】
情報収集装置と、中継装置と、リスタブル情報装置とを有し、  
前記情報収集装置は、
情報を収集して前記中継装置に送信する情報収集制御手段を有し、
前記中継装置は、
前記情報収集装置から情報を受信する情報受信手段と、
前記情報収集装置からの受信情報から前記リスタブル情報装置が受信して表示可能な送信情報を生成する情報処理手段と、
前記送信情報を前記リスタブル情報装置に送信する情報送信手段と、を有し、
前記リスタブル情報装置は、
前記中継装置からの送信情報を受信して表示する受信情報表示手段を有し、
前記情報収集装置は、収集すべき前記情報を指定する指定情報が予め設定されており、前記指定情報に基づき前記情報を収集することを特徴とする通信システム。
【請求項２】
前記受信情報表示手段は、指針により情報を表示するものであり、
前記情報処理手段は、前記情報処理装置からの受信情報を前記指針により表示可能な情報に変換することを特徴とする請求項１に記載の通信システム。
【請求項３】
前記情報処理手段は、前記情報処理装置からの受信情報から前記送信情報を生成するアプリケーションプログラムを用いることを特徴とする請求項１または２に記載の通信システム。
【請求項４】
前記リスタブル情報装置は、当該リスタブル情報装置の状態を検出する状態検出手段を有し、前記状態検出手段の出力信号に基づいて前記中継装置に情報要求を送信し、
前記中継装置は、前記情報要求に応じて、前記送信情報を前記リスタブル情報装置に送信することを特徴とする請求項１〜３のいずれか１項に記載の通信システム。
【請求項５】
前記リスタブル情報装置は、前記状態検出手段の出力信号が所定時間以上にわたって所定範囲内を維持したときに前記情報要求を送信することを特徴とする請求項４に記載の通信システム。
【請求項６】
前記リスタブル情報装置は、前記状態検出手段の出力信号が周期的な変化を終えたときに前記情報要求を送信することを特徴とする請求項４に記載の通信システム。
【請求項７】
前記リスタブル情報装置は、前記状態検出手段の出力信号に所定パターンの変化が生じたときに前記情報要求を送信することを特徴とする請求項４に記載の通信システム。
【請求項８】
情報収集装置から情報を受信する情報受信手段と、
前記情報収集装置からの受信情報からリスタブル情報装置が受信して表示可能な送信情報を生成する情報処理手段と、
前記送信情報を前記リスタブル情報装置に送信する情報送信手段と、を備え、
前記情報受信手段は、予めユーザーが設定した情報を受信すること、
を特徴とする中継装置。
【請求項９】
前記情報処理手段は、前記情報処理装置からの受信情報を前記リスタブル情報装置の指針により表示可能な情報に変換することを特徴とする請求項８に記載の中継装置。
【請求項１０】
前記情報処理手段は、前記情報処理装置からの受信情報から前記送信情報を生成するアプリケーションプログラムを用いて実行することを特徴とする請求項８または９に記載の中継装置。
【発明の詳細な説明】
【技術分野】
【０００１】
この発明は、情報収集装置が収集した情報をリスタブル情報装置に提供する通信システムに関する。
【背景技術】
【０００２】
近年、電子式の腕時計等のリスタブル情報装置の高機能化が進み、単に時刻表示を行うだけでなく、歩数計機能等、時刻以外の各種の情報を表示する機能を備えたリスタブル情報装置が提供されている。しかしながら、そのような各種の情報をリスタブル情報装置に表示させるとなると、必要な情報を取得するためのセンサーや回路を設けることが必要になる。このため、リスタブル情報装置が大型化する問題、リスタブル情報装置の負荷が大きくなる問題が生じる。そこで、外部から必要な情報を収集し、その表示を行うリスタブル情報装置が望まれている。
【０００３】
このような要求に応えるリスタブル情報装置として、スマートフォンと連携動作する機能を有するものが知られている。例えば特許文献１に開示の技術において、リスタブル情報装置であるスマートウォッチは、スマートフォンと接続されている場合に、スマーフォンの記憶部に保存されているデータとスマートウォッチの記憶部に保存されているデータとの同期処理を行う。このようなスマートフォンとスマートウォッチによれば、スマートフォンの収集した情報をスマートウォッチにおいて表示することができる。
【先行技術文献】
【特許文献】
【０００４】
【特許文献１】特開２０１６−１６７１６９号
【発明の概要】
【発明が解決しようとする課題】
【０００５】
ところで、上述した特許文献１に開示の技術において、スマートフォンが保持しているデータをスマートウォッチに表示させる連携動作を行うためには、データを提供するスマートフォンのアプリケーションと、データの提供を受けて表示を行うスマートウォッチのアプリケーションとが整合している必要がある。このため、従来技術の下においてスマートウォッチは、特定のスマートフォンから固定的な情報を収集するに止まっていた。
【０００６】
この発明は、以上説明した事情に鑑みてなされたものであり、任意の情報収集装置により収集された情報を任意のリスタブル情報装置に送信して表示させることを可能にする技術的手段を提供することを目的としている。
【課題を解決するための手段】
【０００７】
この発明に係る通信システムの一態様は、情報収集装置と、中継装置と、リスタブル情報装置とを有し、前記情報収集装置は、情報を収集して前記中継装置に送信する情報収集制御手段を有し、前記中継装置は、前記情報収集装置から情報を受信する情報受信手段と、  前記情報収集装置からの受信情報から前記リスタブル情報装置が受信して表示可能な送信情報を生成する情報処理手段と、前記送信情報を前記リスタブル情報装置に送信する情報送信手段と、を有し、前記リスタブル情報装置は、前記中継装置からの送信情報を受信して表示する受信情報表示手段を有し、前記情報収集装置は、収集すべき前記情報を指定する指定情報が予め設定されており、前記指定情報に基づき前記情報を収集する。
【０００８】
この通信システムの一態様によれば、中継装置の情報処理手段が情報収集装置からの受信情報からリスタブル情報装置が受信して表示可能な送信情報を生成するので、任意の情報収集装置により収集された情報を任意のリスタブル情報装置に送信して表示させることができる。
【０００９】
好ましい態様において、前記受信情報表示手段は、指針により情報を表示するものであり、前記情報処理手段は、前記情報処理装置からの受信情報を前記指針により表示可能な情報に変換する。また、好ましい態様において、前記情報処理手段は、前記情報処理装置からの受信情報から前記送信情報を生成するアプリケーションプログラムを用いる。
【００１０】
これらの態様によれば、中継装置は、リスタブル情報装置向けの送信情報をリスタブル情報装置やそのユーザーにとって好ましい形式の情報とすることができる。
【００１１】
また、好ましい態様において、前記リスタブル情報装置は、当該リスタブル情報装置の状態を検出する状態検出手段を有し、前記状態検出手段の出力信号に基づいて前記中継装置に情報要求を送信し、前記中継装置は、前記情報要求に応じて、前記送信情報を前記リスタブル情報装置に送信する。
【００１２】
具体的には、前記リスタブル情報装置は、前記状態検出手段の出力信号が所定時間以上にわたって所定範囲内を維持したときに前記情報要求を送信する。あるいは前記リスタブル情報装置は、前記状態検出手段の出力信号が周期的な変化を終えたときに前記情報要求を送信する。あるいは前記リスタブル情報装置は、前記状態検出手段の出力信号に所定パターンの変化が生じたときに前記情報要求を送信する。
【００１３】
これらの態様によれば、リスタブル情報装置のユーザーがリスタブル情報装置の表示を確認する可能性が高いタイミングにおいて、中継装置からリスタブル情報装置に情報を送信し、その表示を行わせることができる。
【００１４】
また、この発明に係る中継装置の一態様は、情報収集装置から情報を受信する情報受信手段と、前記情報収集装置からの受信情報からリスタブル情報装置が受信して表示可能な送信情報を生成する情報処理手段と、前記送信情報を前記リスタブル情報装置に送信する情報送信手段とを備え、前記情報受信手段は、予めユーザーが設定した情報を受信することを特徴とする。この態様によれば、中継装置において受信情報をリスタブル装置が受信して表示可能な送情報に変換するので、既存のリスタブル装置の表示機能を利用して、収集した情報を表示することができる。
【００１５】
上述した中継装置の一態様において、前記情報処理手段は、前記情報処理装置からの受信情報を前記リスタブル情報装置の指針により表示可能な情報に変換することが好ましい。この態様によれば、リスタブル情報装置が指針を有する場合に、指針を用いて情報を表示することが可能となる。
【００１６】
上述した中継装置の一態様において、前記情報処理手段は、前記情報処理装置からの受信情報から前記送信情報を生成するアプリケーションプログラムを用いて実行することが好ましい。
【図面の簡単な説明】
【００１７】
【図１】この発明の一実施形態である通信システム１０００の構成を示すブロック図である。
【図２】同通信システム１０００の中継装置２の構成を示すブロック図である。
【図３】同通信システム１０００のリスタブル情報装置１の外観を示す平面図である。
【図４】同リスタブル情報装置１の電気的構成を示すブロック図である。
【図５】同通信システム１０００の動作例を示すシーケンス図である。
【図６】この発明の他の実施形態におけるリスタブル情報装置１の表示例を示す図である。
【発明を実施するための形態】
【００１８】
以下、図面を参照しつつ本発明の実施形態を説明する。
【００１９】
（Ａ．実施形態）
（Ａ−１：構成）
図１は、この発明の一実施形態である通信システム１０００の構成を示すブロック図である。図１に示すように通信システム１０００は、リスタブル情報装置１と、中継装置２と、情報収集装置３とを有する。また、図１には、情報収集装置３の例として、スマートフォン３１と、ＰＣ（Personal Computer）３２が示されている。本実施形態による通信システム１０００では、情報収集装置３がネットワーク４上のサイトから収集した情報を中継装置２がリスタブル情報装置１に送信する。
【００２０】
情報収集装置３は、リスタブル情報装置１のユーザーに提供する情報をネットワーク４上のサイトから収集する情報収集制御手段としての機能を有する。さらに詳述すると、情報収集装置３は、ユーザーからの指示に従って、ネットワーク４上の各種の情報提供サイトにアクセスし、リスタブル情報装置１に提供する情報を当該サイトから収集するための情報提供要求を実行する。より具体的には、情報収集装置３にインストールされているアプリケーションを実行すると、収集すべき情報を選択するための画面が表示され、ユーザーが所望の情報を選択することによって、収集すべき情報が特定される。即ち、情報収集装置３には、収集すべき情報を指定する指定情報が予め設定されている。そして、情報収集装置３は指定情報に基づき情報を収集する。
【００２１】
この情報提供要求において、情報収集装置３は、情報源ＩＤとアプリケーションＩＤとをアクセス先のサイトから取得する。ここで、情報源ＩＤは、リスタブル情報装置１に提供する情報の情報源を特定するＩＤである。例えば情報収集装置３がアクセスしたサイトのＵＲＬがこの情報源ＩＤである。また、アプリケーションＩＤは、当該情報源からの受信情報からリスタブル情報装置１向けの情報を生成するためのアプリケーションプログラムを特定するＩＤである。このアプリケーションプログラムは、サイトから収集される情報をリスタブル情報装置１のユーザーが望む形式の情報にカスタマイズする処理と、そのカスタマイズされた情報をリスタブル情報装置１が受信して表示可能な情報に変換する処理とを実行するプログラムである。ネットワーク４上のサイトは、情報収集装置３からの要求に従って、自サイトが保有する各種のアプリケーションプログラムの中から適切なアプリケーションプログラムを選択し、そのアプリケーションＩＤを情報収集装置３に提供する。本実施形態において、リスタブル情報装置１は、後述するように指針により情報の表示を行う。従って、上記アプリケーションプログラムでは、サイトから収集される情報をリスタブル情報装置１の指針により表示可能な情報に変換する。
【００２２】
そして、情報収集装置３は、この情報源ＩＤおよびアプリケーションＩＤを、情報送信先であるリスタブル情報装置１を特定する情報送信先ＩＤおよび当該情報収集装置３を特定する情報収集装置ＩＤとともに中継装置２に送信する。
【００２３】
中継装置２は、無線アクセスポイントまたは無線ハブと呼ばれる中継装置である。この中継装置２は、情報収集装置３が収集した情報からリスタブル情報装置１が受信して表示可能な送信情報を生成し、リスタブル情報装置１に送信するものである。
【００２４】
図２は中継装置２の構成を示すブロック図である。図２に示すように中継装置２は、制御中枢であるＣＰＵ２００と、制御プログラムを記憶したＲＯＭ２１１と、ＣＰＵ２００によってワークエリアとして使用されるＲＡＭ２１２と、ＨＤＤ等の不揮発性記憶装置により構成された記憶部２２０とを有する。さらに中継装置２は、通信部２３０を有する。この通信部２３０は、ＢＬＥ等のプロトコルに従って情報収集装置３およびリスタブル情報装置１と短距離無線通信を行う機能と、ネットワーク４の無線アクセスポイントとの無線通信を行う機能とを有している。
【００２５】
ＣＰＵ２００は、ＲＯＭ２１１内の制御プログラムに従い、情報収集装置３が収集した情報を受信する情報受信手段としての処理と、その受信情報からリスタブル情報装置１が受信して表示可能な送信情報を生成する情報処理手段としての処理と、リスタブル情報装置１向けの送信情報を送信する情報送信手段としての処理を実行する。さらに詳述すると、次の通りである。
【００２６】
情報収集装置３が、上述した情報提供要求を実行し、情報収集装置ＩＤと情報送信先ＩＤと情報源ＩＤとアプリケーションＩＤを中継装置２に送信したとする。この場合、中継装置２のＣＰＵ２００は、情報送信先ＩＤにより特定されるリスタブル情報装置１への情報提供のために、記憶部２２０内に情報送信用領域２２１、アプリケーション領域２２２およびＩＤ領域２２３を確保し、これらの各領域を相互に対応付ける。ここで、情報送信用領域２２１は、情報収集装置３から受信される情報を格納するための受信バッファー領域２２１Ｒと、リスタブル情報装置１向けの情報を格納するための送信バッファー領域２２１Ｓとにより構成されている。
【００２７】
そして、ＣＰＵ２００は、情報収集装置３から受信した情報収集装置ＩＤ、情報送信先ＩＤ、情報源ＩＤおよびアプリケーションＩＤからなるＩＤセットをＩＤ領域２２３に格納する。また、ＣＰＵ２００は、通信部２３０を介してネットワーク４上のサイトを検索し、ＩＤ領域２２３内のアプリケーションＩＤにより特定されるアプリケーションプログラムをアプリケーション領域２２２にダウンロードする。これにより情報収集装置３から受信される情報をリスタブル情報装置１に送信するための準備が完了する。
【００２８】
そして、ＣＰＵ２００は、情報受信手段としての処理により情報収集装置３からの情報を通信部２３０により受信し、その情報を受信バッファー領域２２１Ｒに格納する。次にＣＰＵ２００、アプリケーション領域２２２内のアプリケーションプログラムに従って情報処理手段としての処理を実行し、受信バッファー領域２２１Ｒ内の情報からリスタブル情報装置１向けの情報を生成し、送信バッファー領域２２１Ｓに格納する。そして、ＣＰＵ２００は、情報送信手段としての処理により、送信バッファー領域２２１Ｓ内の情報を通信部２３０によりリスタブル情報装置１に送信する。
【００２９】
図３はリスタブル情報装置１の外観を示す平面図である。本実施形態におけるリスタブル情報装置１は、電子式の腕時計である。リスタブル情報装置１は、円筒状の外装ケース１８１と、外装ケース１８１の内側に設けられたダイヤルリング１８２と、ダイヤルリング１８２の内側に設けられた文字盤１８３と、外装ケース１８１の表面側の開口を塞ぐためのカバーガラス（図示省略）と、時刻等の各種情報を表示する時刻表示部１５０とを備える。時刻表示部１５０は、時間を表示する時針１５１と、分を表示する分針１５２と、秒を表示する秒針１５３とを具備する。以下では、時針１５１と分針１５２と秒針１５３とを、「指針」と総称する場合がある。指針１５１〜１５３の各々は、文字盤１８３とカバーガラスの間に設けられ指針軸１５４を中心に回転する。
【００３０】
また、図３に示すように、リスタブル情報装置１は、外装ケース１８１の外側に設けられた操作ボタン１２１および１２２と竜頭１２３とを備える。以下では、操作ボタン１２１および１２２と竜頭１２３とを操作部１２０と称する。
【００３１】
図３に示すように、ダイヤルリング１８２には、１時から１２時までを示すための１２時制の目盛り１８４が形成され、また、目盛り１８４の外側に１から１２までの時刻表示１８５が形成されている。
【００３２】
図４は、リスタブル情報装置１の電気的構成を示すブロック図である。図４に示すように、リスタブル情報装置１は、図３を参照して説明した操作部１２０および時刻表示部１５０の他、ＣＰＵ１００と、通信部１６０と、センサー部１７０と、ＲＯＭ１１１と、ＲＡＭ１１２と、ＲＴＣ（real-time clock）１３０と、モーター１４２と、モータードライバー１４１とを備える。
【００３３】
ここで、ＣＰＵ１００はリスタブル情報装置１の制御中枢として機能する。通信部１６０は、中継装置２や情報収集装置３との無線通信を行う手段である。センサー部１７０は、加速度センサー、地磁気センサー等からなり、リスタブル情報装置１の状態を検出する状態検出手段として機能する。ＲＯＭ１１１には、各種の制御プログラムが記憶されている。ＲＡＭ１１２は、ＣＰＵ１００によってワークエリアとして使用される。ＲＴＣ１３０は、水晶振動子（図示省略）から出力される一定の周波数の信号に基づいて、時刻を示す時刻指定情報を生成する手段である。モーター１４２は、輪列機構（図示省略）を介して時刻表示部１５０の指針１５１〜１５３を回転駆動する。モータードライバー１４１は、モーター１４２を駆動するための回路である。
【００３４】
ＣＰＵ１００は、時刻表示モードでの動作と、受信情報表示モードでの動作が可能である。時刻表示モードにおいて、ＣＰＵ１００は、ＲＴＣ１３０からの時刻指定情報に従って、時刻表示部１５０の指針を駆動し、時刻表示部１５０に時刻表示を行わせる。また、ＣＰＵ１００は、状態検出手段であるセンサー部１７０の出力信号や操作部１２０の操作に基づいて、中継装置２に対して情報要求を送信する情報要求手段としての処理を実行する。この情報要求を行うと、ＣＰＵ１００は、受信情報表示モードとなり、受信情報表示手段としての処理を実行する。すなわち、ＣＰＵ１００は、通信部１６０を介して中継装置２から情報を受信し、この受信情報に基づいて、時刻表示部１５０の指針を駆動し、時刻表示部１５０に受信情報を表示させる。
【００３５】
（Ａ−２：動作）
図５は本実施形態による通信システム１０００の動作例を示すシーケンス図である。本実施形態において、情報収集装置３が収集した情報をリスタブル情報装置１に表示させることを望むユーザーは、情報収集装置３と中継装置２とをペアリングさせ（ステップＳ１１）、中継装置２とリスタブル情報装置１とをペアリングさせる（ステップＳ１２）。ここで、ペアリングとは、ＢＬＥにおいて、無線通信を行う各通信装置に互いの通信相手を認識させる手続である。次にユーザーは、リスタブル情報装置１のＩＤを情報送信先ＩＤとして中継装置２に送信させ、さらにこの情報送信先ＩＤを中継装置２から情報収集装置３に送信させ、情報収集装置３に記憶させる（ステップＳ２０）。なお、このようにする代わりに、リスタブル情報装置１と情報収集装置３とをペアリングさせ、リスタブル情報装置１から情報収集装置３に情報送信先ＩＤを直接送信させてもよい。
【００３６】
次にユーザーは、情報収集装置３を利用してネットワーク４上のサイト４０にアクセスし、当該サイト４０から当該情報収集装置３に所望の情報を送信して貰うための情報提供要求を行う（ステップＳ３１）。この情報提供要求（ステップＳ３１）では、サイト４０から提供を受ける情報の種類、情報提供のタイミング（例えば毎日定時等）や条件（例えば株価がある条件を満たしたらその旨を知らせる等）を情報収集装置３からサイト４０に対して伝える。そして、情報収集装置３は、情報提供要求（ステップＳ３１）の際、情報提供者であるサイト４０を特定する情報源ＩＤをサイト４０から取得する。また、情報収集装置３は、情報提供要求（ステップＳ３１）の際、情報源ＩＤにより特定されるサイト４０からの受信情報から情報送信先ＩＤにより特定されるリスタブル情報装置１での受信および表示に適した情報を生成するためのアプリケーションプログラムを特定するアプリケーションＩＤを取得する。
【００３７】
好ましい態様において、サイト４０には、当該サイト４０からの受信情報をカスタマイズする処理およびこのカスタマイズされた情報からリスタブル情報装置１が受信して表示可能な情報を生成するための処理を実行するアプリケーションプログラムが各種のリスタブル情報装置１の仕様毎に用意されている。サイト４０は、情報提供要求（ステップＳ３１）を受け付けた場合に、その情報の最終的な提供先であるリスタブル情報装置１の情報送信先ＩＤを情報収集装置３から取得する。そして、当該サイト４０は、この情報送信先ＩＤから情報送信先であるリスタブル情報装置１の仕様を判定し、この仕様に対応したアプリケーションプログラムのアプリケーションＩＤを情報収集装置３に送信する。
【００３８】
情報提供要求（ステップＳ３１）が完了すると、情報収集装置３は、当該情報収集装置３の情報収集装置ＩＤと、リスタブル情報装置１を特定する情報送信先ＩＤと、情報提供要求を行ったサイト４０の情報源ＩＤと、当該サイト４０から取得したアプリケーションＩＤとを中継装置２に送信する（ステップＳ３２）。中継装置２は、この情報収集装置３から受信した情報収集装置ＩＤと、情報送信先ＩＤと、情報源ＩＤと、アプリケーションＩＤとからなるＩＤセットをＩＤ領域２２３に格納する。
【００３９】
次に中継装置２は、ネットワーク４を介して、情報源ＩＤにより特定されるサイト４０にアクセスし、アプリケーションＩＤにより特定されるアプリケーションプログラムをアプリケーション領域２２２にダウンロードする（ステップＳ３４）。
【００４０】
その後、情報収集装置３は、サイト４０からの情報収集を行うと（ステップＳ４１）、その情報を中継装置２に送信する（ステップＳ４２）。この情報収集装置３から中継装置２に送信される情報は情報収集装置３の情報収集装置ＩＤを伴っている。
【００４１】
中継装置２では、この情報収集装置３からの受信情報について情報処理を実行する（ステップＳ５０）。具体的には、中継装置２のＣＰＵ２００は、情報収集装置３の情報収集装置ＩＤを含むＩＤセットが記憶されたＩＤ領域２２３を特定し、このＩＤ領域２２３に対応付けられたアプリケーション領域２２２と、情報送信用領域２２１を特定する。そして、情報収集装置３からの受信情報を当該情報送信用領域２２１の受信バッファー領域２２１Ｒに格納する。次にＣＰＵ２００は、当該アプリケーション領域２２２内のアプリケーションプログラムを実行し、当該情報送信用領域２２１の受信バッファー領域２２１Ｒ内の受信情報からリスタブル情報装置１が受信して表示可能な送信情報を生成する。そして、生成した送信情報を当該情報送信用領域２２１の送信バッファー領域２２１Ｓに格納する。
【００４２】
その後、リスタブル情報装置１から中継装置２に情報要求が送信される（ステップＳ６１）。この情報要求はリスタブル情報装置１を特定する情報送信先ＩＤを伴う。すると、中継装置２のＣＰＵ２００は、リスタブル情報装置１の情報送信先ＩＤを含むＩＤセットが記憶されたＩＤ領域２２３を特定し、このＩＤ領域２２３に対応付けられた情報送信用領域２２１の送信バッファー領域２２１Ｓ内の送信情報をリスタブル情報装置１に対して送信する（ステップＳ６２）。
【００４３】
これによりリスタブル情報装置１のＣＰＵ１００の動作モードは、受信情報表示モードとなる。そして、ＣＰＵ１００は、中継装置２からの受信情報を時刻表示部１５０の指針により表示する。
【００４４】
リスタブル情報装置１における情報要求の送信制御に関しては、各種の態様がある。ある好ましい態様において、リスタブル情報装置１のＣＰＵ１００は、例えば操作部１２０の操作により設定された時刻において、情報要求を送信する。
【００４５】
他の好ましい態様において、ＣＰＵ１００は、センサー部１７０の例えば加速度センサーの出力信号に基づいて、リスタブル情報装置１の指針軸１５４の鉛直方向に対する角度θを算出する処理を定期的に繰り返す。そして、角度θが所定時間以上に亙って−１０°＜θ＜１０°の範囲内になったとき、中継装置２に対して情報要求を送信する。その理由は次の通りである。角度θが所定時間以上に亙って−１０°＜θ＜１０°の範囲内になった場合、ユーザーがリスタブル情報装置１の時刻表示を見る姿勢になっていると考えられるからである。
【００４６】
また、他の好ましい態様において、ＣＰＵ１００は、センサー部１７０の例えば加速度センサーの出力信号が周期的な変化を終えたときに、中継装置２に対して情報要求を送信する。その理由は次の通りである。まず、加速度センサーの出力信号が周期的な変化をしている期間はリスタブル情報装置１を装着しているユーザーが例えば歩行をしていると考えられるからである。また、その周期的な変化が終わったときは、ユーザーが立ち止まったか、あるいはリスタブル情報装置１を例えば机の上に置き、ユーザーがリスタブル情報装置１の時刻表示を見る可能性が高い状態になったと考えられるからである。
【００４７】
また、他の好ましい態様において、ＣＰＵ１００は、加速度センサーの出力信号に所定パターンの変化が生じたとき、中継装置２に対して情報要求を送信する。所定パターンの変化とは、例えばユーザーが時刻表示を見るためにリスタブル情報装置１を持ち上げるときに加速度センサーの出力信号に現れる変化のパターンである。
【００４８】
また、他の好ましい態様において、ＣＰＵ１００は、操作部１２０に対する所定の操作が行われたときに中継装置２に対して情報要求を送信する。
以上が本実施形態による通信システムの動作である。
【００４９】
本実施形態によれば、情報収集装置３が収集した情報を中継装置２が受信し、この中継装置２が情報収集装置３からの受信情報からリスタブル情報装置１が受信して表示可能な送信情報を生成し、リスタブル情報装置１に対して送信する。従って、本実施形態によれば、任意の情報収集装置３により収集された情報を任意のリスタブル情報装置１に送信して表示することが可能である。
【００５０】
また、本実施形態によれば、中継装置２は、情報収集装置３からの受信情報を提供先であるユーザーの希望に応じてカスタマイズしてリスタブル情報装置１に送信する。従って、ユーザーの望む情報をリスタブル情報装置１に表示させることができる。
【００５１】
また、本実施形態によれば、ユーザーがリスタブル情報装置１の表示を確認する可能性の高いタイミングにおいてリスタブル情報装置１から中継装置２に情報要求が送信される。従って、本実施形態によれば、リスタブル情報装置１が表示する情報を高い確率でユーザーに確認させることができる。
【００５２】
（Ｂ：他の実施形態）
以上、この発明の一実施形態について説明したが、この発明には他の実施形態が考えられる。例えば次の通りである。
【００５３】
（１）中継装置２が実行するアプリケーションプログラムは、受信バッファー領域２２１Ｒに格納された一定期間内の情報からリスタブル情報装置１向けの送信情報を生成するものであってもよい。
【００５４】
例えば情報収集装置３がネットワーク４上の株価情報提供サイトからリスタブル情報装置１のユーザーが希望する銘柄の株価情報を一定時間間隔で収集して中継装置２に送信するものとする。
【００５５】
この場合、中継装置２は、この一定時間間隔で送信される株価情報を受信して受信バッファー領域２２１Ｒに蓄積する。そして、中継装置２のアプリケーションプログラムは、毎日、株取引の終了時刻を過ぎると、受信バッファー領域２２１Ｒ内の株価情報に基づき、当該銘柄の前日の終値を求める。また、アプリケーションプログラムは、毎日、株取引の開始時刻を過ぎると、受信バッファー領域２２１Ｒ内の株価情報に基づき、当該銘柄の当日の始値を求める。また、アプリケーションプログラムは、情報収集装置３から株価情報が受信される都度、受信バッファー領域２２１Ｒ内の株価情報を参照し、当該銘柄の当日の最高値を求める。
【００５６】
そして、アプリケーションプログラムは、リスタブル情報装置１からの情報要求が受信されると、受信バッファー領域２２１Ｒ内の株価情報に基づき、当該銘柄の現在値を求め、前日の終値を基準として、当日の始値と、現在値と、最高値との相対関係を示す数値情報を生成し、この数値情報を送信バッファー領域２２１Ｓに格納してリスタブル情報装置１に送信するのである。
【００５７】
図６はこの場合のリスタブル情報装置１の表示例を示すものである。この例では、１２時の指針軸１５４から見た１２時の方向が前日の終値を示している。また、１２時の方向に対する時針１５１の角度が前日の終値に対する当日の始値の差分を表している。また、１２時の方向に対する分針１５２の角度が前日の終値に対する当日の最高値の差分を表している。また、１２時の方向に対する秒針１５３の角度が前日の終値に対する現在値の差分を表している。この態様によれば、ユーザーは、指針の角度を視認することにより、希望の銘柄の株価の値動きを把握することができる。
【００５８】
（２）上記実施形態において、中継装置２は、情報収集装置３がネットワーク４を介して収集した情報に基づいて、リスタブル情報装置１向けの送信情報を生成した。しかし、リスタブル情報装置１向けの送信情報はこれに限定されるものではない。中継装置２は、例えば情報収集装置３が演算処理等により生成した情報に基づいて、リスタブル情報装置１向けの送信情報を生成してもよい。
【００５９】
（３）リスタブル情報装置１にＬＣＤ等の指針以外の表示手段を設け、ＣＰＵ１００の動作モードが時刻表示モードであるか受信情報表示モードであるかをユーザーに知らせるようにしてもよい。
【符号の説明】
【００６０】
１…リスタブル情報装置、２…中継装置、３…情報収集装置、３１…スマートフォン、３２…ＰＣ、４…ネットワーク、４０…サイト、１００，２００…ＣＰＵ、１１１，２１１…ＲＯＭ、１１２，２１２…ＲＡＭ、１６０，２３０…通信部、２２０…記憶部、２２１…情報送信用領域、２２１Ｒ…受信バッファー領域、２２１Ｓ…送信バッファー領域、２２２…アプリケーション領域、２２３…ＩＤ領域、１２０…操作部、１３０…ＲＴＣ、１４１…モータードライバー、１４２…モーター、１５０…時刻表示部、１７０…センサー部、１８１…外装ケース、１８２…ダイヤルリング、１８３…文字盤、１５１…時針、１５２…分針、１５３…秒針、１５４…指針軸、１２１，１２２…操作ボタン、１２３…竜頭、１８４…目盛り、１８５…時刻表示。
【図１】
2018156349.tif 000003
【図２】
2018156349.tif 000004
【図３】
2018156349.tif 000005
【図４】
2018156349.tif 000006
【図５】
2018156349.tif 000007
【図６】
2018156349.tif 000008